(57)【要約】【課題】３パスの両面スキャン方式を採用するファクシミリ装置において、両面画像データをリアルタイムで円滑に送信するための技術を提供することを目的とする。【解決手段】ファクシミリ装置１は、１ページの画像データを送信した後、送信した画像データが、３パス両面スキャンの偶数枚目に該当するかどうかを判定する（ステップＳ４）。偶数枚目に該当しない場合、つまり、表面の画像データを送信した直後は、ＭＰＳ信号を送出し（ステップＳ５）、続いて裏面の画像データを送信する（ステップＳ１）。偶数枚目に該当する場合、つまり、裏面の画像データを送信した直後は、ＥＯＭ信号を送出し（ステップＳ６）、モード変更手順に移行する（ステップＳ７）。モード変更手順を実行している間に、原稿はスイッチバックされ、排出部に排出される。その後、次のページの表面の画像データが読み取られ、送信される（ステップＳ１）。【選択図】図５
2009055520.tif 000002
【特許請求の範囲】
【請求項１】
両面通信機能を有するファクシミリ装置において、
原稿の表面を読取部に供給した後、前記原稿を待機位置に搬送し、続いて、前記原稿を反転させて前記原稿の裏面を再び前記読取部に供給した後、前記原稿を前記待機位置に搬送し、さらに、前記原稿を反転させて前記原稿を排出位置に搬送する原稿搬送部と、
前記原稿の裏面を前記読取部で読取って裏面の画像データを通信相手先に送信した後、前記通信相手先に対してＥＯＭ信号を送出する通信部と、
を備えることを特徴とするファクシミリ装置。
【請求項２】
請求項１に記載のファクシミリ装置において、
前記通信部は、前記原稿の表面を前記読取部で読取って表面の画像データを前記通信相手先に送信した後、前記通信相手先に対してＭＰＳ信号を送出することを特徴とするファクシミリ装置。
【請求項３】
請求項１または請求項２に記載のファクシミリ装置において、
前記通信部は、前記原稿の表面および裏面の画像データをメモリに蓄積することなくリアルタイムで送信することを特徴とするファクシミリ装置。
【発明の詳細な説明】
【技術分野】
【０００１】
本発明は、両面通信機能を有するファクシミリ装置に関する。
【背景技術】
【０００２】
原稿の両面の画像データを送受信可能なファクシミリ装置がある。たとえば、ユーザが、原稿の表面と裏面とを手動でファクシミリ装置に読み込ませ、画像データをメモリに蓄積する。または、表面の画像データを連続的に読み込ませてメモリに蓄積した後、ユーザが原稿を裏向きにあらためてセットし、続いて裏面の画像データを連続的に読み込ませてメモリに蓄積する。そして、メモリに蓄積された両面の画像データを送信するという方法がある。
【０００３】
あるいは、自動で原稿の両面を読取ることが可能なファクシミリ装置が存在する。ＡＤＦ（オートドキュメントフィーダ）から搬送された原稿は、読取部において表面の画像データが読み込まれる。次に、原稿は反転されて再び読取部に搬送され、裏面の画像データが読み込まれる。しかし、このままでは、複数ページの原稿を送信した後、表裏面が逆転された状態で原稿が排出部に残る。そこで、裏面の画像データが読み取られた後、原稿は再び反転され、読取部を通過した後、排出部に搬送される（この動作を以下、スイッチバック動作と呼ぶことにする。）。このような読取方法は３パスの両面スキャンと呼ばれている。３パスの両面スキャン技術については、たとえば、下記特許文献１に開示されている。
【０００４】
【特許文献１】特開２００４−１７５４６０号公報
【特許文献２】特開２００２−７７５６０号公報
【発明の開示】
【発明が解決しようとする課題】
【０００５】
３パスの両面スキャンを利用することで、ユーザは、原稿をＡＤＦに載置し、送信指示を行うだけで、両面画像データを送信することが可能となる。しかし、上述したように、原稿の裏面を読み込んだ後、再び、原稿を反転させるスイッチバック動作が発生する。このため、裏面の画像データを送信した後、次のページの表面の画像データを送信するまでにタイムラグが発生することになる。
【０００６】
図７は、２ページ目の裏面画像データを送信した後の通信手順を示す図である。送信機は、２ページ目の裏面画像データを送信した後、まず、ＭＰＳ（Ｍｕｌｔｉｐａｇｅ  Ｓｉｇｎａｌ）信号を送出する。これに対して、受信機がＭＣＦ（Ｍｅｓｓａｇｅ  Ｃｏｎｆｉｒｍａｔｉｏｎ）信号で応答する。
【０００７】
ＭＣＦ信号を受信した送信機は、たとえば、送信済スタンプを原稿裏面に記録した後、スイッチバック動作を行う。スイッチバック動作をしている間、送信機は、受信機に対してフィルを送出し、３ページ目の表面画像を送信可能となるまで待機する。
【０００８】
しかし、スイッチバック動作は、５〜６秒程度掛かる場合があり、Ｎｏｎ−ＥＣＭの場合、フィルの送出時間は５秒以内と規定されている。したがって、次のページの表面の画像データを送信するまでのタイムラグが長くなった場合、通信手順に間に合わず通信が切断されてしまうという問題があった。また、スイッチバック動作にかかる時間は、原稿の搬送方向の長さにも左右する。特に、長尺の原稿の場合には、スイッチバック動作に要する時間が長く、通信が切断される可能性が高くなる。
【０００９】
もちろん、ファクシミリ装置が大きな容量のメモリを有し、３パスの両面スキャンにより読取った両面の画像データを一旦メモリに蓄積できる場合は、上記のような問題はない。しかし、メモリの容量が小さい場合、あるいはユーザによりリアルタイム送信が指定された場合には、通信手順に間に合わないという問題があった。
【００１０】
上記特許文献２は、両面送信機能を有する通信端末装置に関するものである。通信端末装置は、表面の画像データを送信した後、ＥＯＭ（Ｅｎｄ  Ｏｆ  Ｍｅｓｓａｇｅ）信号を送出する。これにより、ユーザが原稿を裏返す作業に要する時間を確保するようにしている。
【００１１】
そこで、本発明は前記問題点に鑑み、３パスの両面スキャン方式を採用するファクシミリ装置において、両面画像データを円滑に送信するための技術を提供することを目的とする。
【課題を解決するための手段】
【００１２】
上記課題を解決するため、請求項１記載の発明は、両面通信機能を有するファクシミリ装置において、原稿の表面を読取部に供給した後、前記原稿を待機位置に搬送し、続いて、前記原稿を反転させて前記原稿の裏面を再び前記読取部に供給した後、前記原稿を前記待機位置に搬送し、さらに、前記原稿を反転させて前記原稿を排出位置に搬送する原稿搬送部と、前記原稿の裏面を前記読取部で読取って裏面の画像データを通信相手先に送信した後、前記通信相手先に対してＥＯＭ信号を送出する通信部と、を備えることを特徴とする。
【００１３】
請求項２記載の発明は、請求項１に記載のファクシミリ装置において、前記通信部は、前記原稿の表面を前記読取部で読取って表面の画像データを前記通信相手先に送信した後、前記通信相手先に対してＭＰＳ信号を送出することを特徴とする。
【００１４】
請求項３記載の発明は、請求項１または請求項２に記載のファクシミリ装置において、前記通信部は、前記原稿の表面および裏面の画像データをメモリに蓄積することなくリアルタイムで送信することを特徴とする。
【発明の効果】
【００１５】
本発明のファクシミリ装置は、原稿の表面および裏面を読み込んだ後、さらに、原稿を反転させるための動作が行われる。そして、原稿の裏面を読取部で読み取って裏面の画像データを通信相手先に送信した後、ＥＯＭ信号を送出する。これにより、原稿の裏面を読み取った後、さらに原稿を反転させる動作をファクリミリ装置が実行している場合にも、通信が切断されることなく、両面の画像データを円滑に送信することができる。
【００１６】
また、本発明のファクシミリ装置は、原稿の表面を読取部で読み取って表面の画像データを通信相手先に送信した後は、ＭＰＳ信号を送出する。これにより、表面の画像データを送信した後は迅速に裏面の画像データを送信することが可能である。
【００１７】
また、本発明のファクシミリ装置は、リアルタイム送信により、原稿の両面の画像データを送信する。これにより、搭載されるメモリの容量が小さい場合であっても、原稿の両面の画像データを円滑に送信することが可能である。
【発明を実施するための最良の形態】
【００１８】
以下、図面を参照しつつ本発明の実施の形態について説明する。図１は、本実施の形態に係るファクシミリ装置１のブロック図である。
【００１９】
このファクシミリ装置１は、両面通信機能を備えた装置である。本実施の形態のファクシミリ装置１は、たとえば、単体のファクシミリ装置として、あるいはデジタル複合機の一部の機能部として構成される。
【００２０】
制御部１１は、ＣＰＵなどを備えファクシミリ装置１の全体制御を行う。ＲＡＭ１２は、一時データの記憶に用いられる。ＲＯＭ１３は、ファクシミリ装置１の動作を制御するプログラムなどが記録されている。制御部１１は、ＲＡＭ１２をワークエリアとして利用しながら、ＲＯＭ１３に格納されたプログラムを実行することで、以下に説明するファクシミリ装置１の各種の機能を実行する。
【００２１】
画像メモリ１４には、読み取った原稿の画像データが記録される。ファクシミリ装置１がメモリ送信機能を実行する場合には、読み取られた原稿の画像データが、画像メモリ１４に一旦蓄積される。これに対して、ファクシミリ装置１が、リアルタイム送信機能を実行する場合には、読み取られた原稿の画像データは、画像メモリ１４に蓄積されることなく、そのまま通信相手先に送信される。
【００２２】
表示部１５は、ファクシミリ装置１の動作状態などを表示する。操作部１６は、ファクシミリ装置１に対する各種の操作指示を入力するためのボタンなどから構成される。表示部１５および操作部１６がタッチパネル式ディスプレイで構成されていてもよい。
【００２３】
読取部１７は、原稿をスキャニングし、画像データを読み取る機能部である。本実施の形態においては、読取部１７は、原稿の片面のみを読み取る機能を有している。したがって、後述するように、原稿の両面を読み取る場合には、３パスの両面スキャンが行われる。記録部１８は、ファクシミリ受信した画像データを記録紙に印字する機能部である。
【００２４】
通信部１９は、たとえば公衆回線や専用線などを介して通信相手先の機器との通信を行う。ＮＣＵ２０は、回線などの制御を行う。モデム２１は、送受信する画像データの変復調を行う。
【００２５】
次に、図２および図３を参照しながら、３パスの両面スキャン動作について説明する。上述したように、本実施の形態のファクシミリ装置１が備える読取部１７は、原稿の片面を読み取ることが可能である。したがって、原稿の両面を読み取る場合には、原稿を、複数回、読取部１７に通過させる必要がある。
【００２６】
図２は、ファクシミリ装置１の上部を側部から見た簡略図である。ファクシミリ装置１の上部には、ＡＤＦ（オートドキュメントフィーダ）２５が設けられている。ユーザは、このＡＤＦ２５に複数枚の原稿をセットすることで、自動で複数枚の原稿を読取部１７に読み込ませることが可能である。
【００２７】
また、ＡＤＦ２５の下部側には、原稿の排出部２６が設けられている。排出部２６には、読取部１７で読み取られた後の原稿が搬送される。
【００２８】
また、ＡＤＦ２５にセットされた原稿を読取部１７に供給するとともに、読み取りが完了した原稿を排出部２６に搬送するための搬送部２７が設けられている。搬送部２７は、原稿を搬送するための複数のローラおよび原稿をガイドするためのガイドプレートなどから構成される。
【００２９】
まず、ＡＤＦ２５にセットされた原稿のうち１枚目の原稿３０が、図２のように、搬送部２７に向けて搬送される。なお、図では、説明を分かり易くするために１枚の原稿３０を図示しているが、実際には、ＡＤＦ２５に複数の原稿がセットされており、その中の１枚目の原稿３０が図２に示すように、搬送部２７へと送られる。
【００３０】
この原稿３０は、ＡＤＦ２５から搬送部２７に引き込まれた後、図の矢視４１の方向に搬送され、読取部１７の上部を通過する。このとき、原稿３０の表面が読取部１７において読み取られる。読み取られた原稿は、矢視４２の方向に搬送されて、図３に示すように、待機位置で保持される。
【００３１】
続いて、原稿３０は、待機位置から図３の矢視４３の方向に搬送される。さらに、原稿３０は、矢視４１の方向に搬送されて、読取部１７の上部を通過する。このとき、原稿３０の表裏が反転しており、原稿３０の裏面が読取部１７に読み取られる。読み取られた原稿は、再び、矢視４２の方向に搬送されて、図３に示すように、待機位置で保持される。
【００３２】
このまま、原稿３０が排出部２６に排出されると、複数枚の原稿の両面を読み取ることにより、原稿の表裏面が逆転することになる。これを防止するために、次に、スイッチバック動作を行う。つまり、原稿３０は、再び、矢視４３、矢視４１の方向に搬送され、読取部１７の上部を通過させた後、最終的に、矢視４２の方向に搬送されて、排出部２６へと搬送するのである。このようなスイッチバック動作を行うことで、複数枚の原稿をまとめて両面スキャンした場合であっても、原稿の表裏面が反転することがない。このように、３パス両面スキャンは、表面の読み取りのための原稿の搬送、裏面の読み取りのための原稿の搬送、および、スイッチバックのための原稿の搬送と、３つの原稿の搬送を伴って１枚の原稿の両面を読み取る。
【００３３】
次に、本実施の形態のファクシミリ装置１が、原稿の裏面の画像データを送信した後の通信手順について説明する。具体的には、ファクシミリ装置１が、３パス両面スキャンを行う場合であって、リアルタイムで両面の画像データを送信する場合の通信手順に関する。図４は、ファクシミリ装置１が、２ページ目の裏面の画像データを送信した後、３ページ目の表面の画像データを送信するまでに実行する通信手順を示す図である。
【００３４】
前提として、ユーザが、操作部１６を操作して、原稿の両面リアルタイム送信を指示しているものとする。つまり、読取部１７で読み取られた画像データは、画像メモリ１４に蓄積されることなく、そのままリアルタイムで通信相手先に送信される。
【００３５】
２ページ目の裏面の画像データが、読取部１７により読み取られた後、ファクシミリ装置１は、２ページ目の裏面の画像データを通信相手先に送信する。続いて、ファクシミリ装置１は、通信相手先に対して、ＥＯＭ信号を送出する。通信相手先は、ＥＯＭ信号を受信すると、ＭＣＦ信号により応答する。
【００３６】
これにより、ファクシミリ装置１と通信相手先との間でモード変更手順（フェーズＢ）の通信手順が開始される。具体的には、通信相手先より、ＤＩＳ（Ｄｉｇｉｔａｌ  Ｉｄｅｎｔｉｆｉｃａｔｉｏｎ  Ｓｉｇｎａｌ）信号が送出され、このＤＩＳ信号に応答して、ファクシミリ装置１が通信相手先にＤＣＳ（Ｄｉｇｉｔａｌ  Ｃｏｍｍａｎｄ  Ｓｉｇｎａｌ）信号を送出する。さらに、トレーニング信号などが送受信される。
【００３７】
このように、本実施の形態のファクシミリ装置１は、３パス両面スキャンのリアルタイム送信時には、裏面の画像データを送信した後、ＥＯＭ信号を送出することによって、通信相手先との通信手順を一旦、モード変更手順（フェーズＢ）に移行させるのである。そして、モード変更手順が実行されている間に、スイッチバック動作を完了させる。そして、図４に示すように、モード変更手順が終了した時点で、３ページ表面の画像データの送信を開始するのである。
【００３８】
図５は、本実施の形態に係るファクシミリ装置１の３パス両面スキャン時におけるリアルタイム送信のフローチャートである。ユーザにより、複数枚の原稿がＡＤＦ２５にセットされる。そして、ユーザが、操作部１６を操作して、通信相手先のファクシミリ番号を指定するとともに、両面原稿のリアルタイム送信を指示する。これにより、図５に示す処理が開始される。
【００３９】
まず、ファクシミリ装置１は、画像データ送信処理のループ処理を開始する。そして、１ページの画像データを送信する（ステップＳ１）。具体的には、１枚目の原稿の表面の画像データが通信相手先に送信される。
【００４０】
続いて、ファクシミリ装置１は、次ページの画像データが存在するかどうかを判定する（ステップＳ２）。次ページの画像データが存在しない場合には（ステップＳ２でＮＯ）、ＥＯＰ（Ｅｎｄ  Ｏｆ  Ｐｒｏｃｅｄｕｒｅ）信号を送出し（ステップＳ３）、送信処理を終了する。
【００４１】
次ページの画像データが存在する場合には（ステップＳ２でＹＥＳ）、ステップＳ１で送信したページの画像データが、３パス両面スキャンの偶数枚目に対応するかどうかを判定する（ステップＳ４）。３パス両面スキャンの偶数枚目とは、原稿の裏面に対応している。
【００４２】
ステップＳ１で送信したページの画像データが、３パス両面スキャンの偶数枚目ではない場合（ステップＳ４でＮＯ）、つまり、原稿の表面の画像データを送信した直後である場合には、ＭＰＳ信号を送出する（ステップＳ５）。ファクシミリ装置１は、ＭＰＳ信号を送出した後、ステップＳ１に戻り、同じ原稿の裏面の画像データを送信する。このように、原稿の表面の画像データを送信した後は、原稿が、図２の矢視４３、矢視４１方向に搬送されて、すぐに原稿の裏面が読取部１７において読み込まれる。したがって、ＭＰＳ信号を送出することで、すぐに、次ページの画像データを送信できるのである。
【００４３】
ステップＳ１で送信したページの画像データが、３パス両面スキャンの偶数枚目である場合（ステップＳ４でＹＥＳ）、つまり、原稿の裏面の画像データを送信した直後である場合には、ＥＯＭ信号を送出し（ステップＳ６）、モード変更手順に移行する（ステップＳ７）。そして、モード変更手順を実行している間に、送信が完了した原稿のスイッチバック処理を完了する。そして、再び、ステップＳ１に戻り、次の原稿の表面の画像データを送信する。このように、原稿の裏面の画像データを送信した後は、ＥＯＭ信号を送出することで、スイッチバック動作の時間を確保し、通信手順が円滑に実行されるようにするのである。
【００４４】
図６は、３パス両面スキャンのリアルタイム送信において、発呼側端末と被呼側端末との間で送受信される信号に着目したシーケンス図である。なお、発呼側端末は、画像データの送信側の通信端末であり、被呼側端末は、画像データの受信側の通信端末である。つまり、図５の処理を実行する本実施の形態のファクシミリ装置１が発呼側端末に該当する。
【００４５】
まず、発呼側端末と被呼側端末との間で、呼設定を行うフェーズＡが実行される。具体的には、発呼側端末が、呼び出し信号であるＣＮＧ（Ｃａｌｌｉｎｇ  Ｔｏｎｅ）信号を送出し、被呼側端末は、ＣＥＤ（Ｃａｌｌｅｄ  Ｓｔａｔｉｏｎ  Ｉｄｅｎｔｉｆｉｃａｔｉｏｎ）信号で応答する。
【００４６】
続いて、前手順（モード変更手順）であるフェーズＢが実行される。フェーズＢでは、被呼側端末から発呼側端末にＤＩＳ信号が送信され、被呼側端末の受信機能などが通知される。これに対して、発呼側端末が被呼側端末にＤＣＳ信号を送信し、決定した通信モードを通知する。ここでは、発呼側端末は、交互モードで両面通信を行うことをＤＣＳ信号で通知する。交互モードとは、表面の画像データと裏面の画像データとを交互で送信する両面通信モードである。さらに、フェーズＢでは、発呼側端末から被呼側端末にトレーニング信号が送信される。被呼側端末は、受信の準備が完了すると、発呼側端末に対してＣＦＲ（Ｃｏｎｆｉｒｍａｔｉｏｎ  Ｔｏ  Ｒｅｃｅｉｖｅ）信号を送出する。
【００４７】
フェーズＢの手順が完了すると、次に、フェーズＣで実際に画像データの送受信が開始される。まず、発呼側端末より、１枚目の表面の画像データが送信される。続いて、発呼側端末は、ＭＰＳ信号を送信し、後続ページの画像データが存在することを通知する。これに対して、被呼側端末は、発呼側端末にＭＣＦ信号を送出して応答する。
【００４８】
次に、発呼側端末は、１枚目の裏面の画像データを被呼側端末に送信する。そして、発呼側端末は、ＥＯＭ信号を送出する。被呼側端末は、ＥＯＭ信号を受信すると、ＭＣＦ信号を送出して応答する。これにより、発呼型端末と被呼側端末とは再びフェーズＢのモード変更手順に移行する。そして、モード変更手順が実行されている間に、１枚目の原稿のスイッチバック動作が行われ、１枚目の原稿が排出部２６に排出される。また、２枚目の原稿がＡＤＦ２５から搬送部２７に供給され、２枚目の原稿の表面の画像データが、読取部１７において読み込まれる。
【００４９】
続いて、発呼側端末と被呼側端末は、再びフェーズＣに移行し、２枚目の原稿の送受信が行われる。１枚目のときと同様、表面の画像データを送信した後は、ＭＰＳ信号とＭＣＦ信号のやりとりが行われる。裏面の画像データを送信した後は、発呼側端末より、ＥＯＭ信号が送出され、再びフェーズＢに移行する。このような手順を繰り返すことで、裏面の画像データを送信した後も、通信手順に支障をきたすことなく、円滑に両面の画像データをリアルタイム送信することができる。
【００５０】
最終原稿の裏面の画像データを送信した後は、フェーズＤ、フェーズＥの通信手順が実行され、通信が終了する。
【００５１】
このように、本実施の形態のファクシミリ装置１を利用することで、３パスの両面スキャンで読み込まれた原稿をリアルタイム送信する場合であっても、通信手順に支障をきたすことなく、円滑に原稿の両面データを送受信することが可能である。
【００５２】
したがって、ファクシミリ装置１が備える画像メモリ１４の容量が小さく、複数枚原稿の両面の画像データを画像メモリ１４に蓄積できない場合であっても、原稿を３パスの両面スキャンで読み取って送信することができる。これにより、ユーザが、原稿を手動で裏返す作業も不要であり、利便性がよい。
【００５３】
もちろん、画像メモリ１４の容量が大きく、複数枚原稿の両面の画像データを画像メモリ１４に蓄積可能な場合であっても、本実施の形態の処理方法は有効である。ユーザは、自由にリアルタイム送信とメモリ送信を選択して、両面原稿を送信可能である。
【００５４】
上記の実施の形態においては、裏面を読み込まれた原稿３０（図２および図３参照）が、再び、矢視４３方向、矢視４１方向へと搬送されて、読取部１７の上を通過することで、スイッチバック動作が行われた。しかし、上記のスイッチバック動作は一例である。本発明の通信手順は、その他の態様でスイッチバック動作が行われる場合であっても有効である。たとえば、裏面を読み取られた原稿が、読取部１７を通過することなく反転されて、排出部２６に排出されるような態様であってもよい。つまり、本発明の通信手順は、裏面が読み取られた後の原稿に再び反転動作が入り、そして、反転動作の後に、次のページの表面の画像データが読み込まれるタイプのファクシミリ装置一般に適用可能である。
【図面の簡単な説明】
【００５５】
【図１】ファクシミリ装置のブロック図である。
【図２】読み取り原稿の搬送開始状態を示す図である。
【図３】読み取り原稿が待機位置に移動した状態を示す図である。
【図４】本実施の形態に係る両面画像の通信手順を示す図である。
【図５】本実施の形態に係るファクシミリ装置の両面画像の送信処理を示すフローチャートである。
【図６】発呼側端末と被呼側端末との間の通信手順を示す図である。
【図７】従来の両面画像の通信手順を示す図である。
【符号の説明】
【００５６】
１    ファクシミリ装置
１７  読取部
１９  通信部
２５  ＡＤＦ
２６  排出部
２７  搬送部
【図１】
2009055520.tif 000003
【図２】
2009055520.tif 000004
【図３】
2009055520.tif 000005
【図４】
2009055520.tif 000006
【図５】
2009055520.tif 000007
【図６】
2009055520.tif 000008
【図７】
2009055520.tif 000009